【事件の表示】
　特願２００８−　９５６１０「インクジェット記録装置における下地剤塗布方法」拒絶査定不服審判事件〔平成２１年１０月２９日出願公開、特開２００９−２４８３５１〕について、次のとおり審決する。
【結　論】
　本件審判の請求は、成り立たない。
【理　由】
第１　手続の経緯
　本願は、平成２０年４月２日の出願であって、平成２４年２月９日付けで手続補正がなされ、同年２月２４日付けで拒絶査定がなされ、これに対し、同年５月１８日に拒絶査定に対する審判請求がなされ、その後同年１２月４日付けで当審において拒絶理由が通知され、平成２５年２月４日付けで手続補正がなされ、同年３月２８日付けで最後の拒絶理由が通知され、同年５月３０日付けで手続補正がなされたものである。
　
　
第２　平成２５年５月３０日付けの手続補正についての補正却下の決定
　
［補正却下の決定の結論］
　平成２５年５月３０日付けの手続補正を却下する。
　
［理由］
１　補正の内容  
　平成２５年５月３０日付けの手続補正（以下「本件補正Ｂ」という。）は、補正前の請求項１（平成２５年２月４日付け手続補正後のもの）として、
　
（１）「記録情報を印字するライン型のインクジェット記録装置で、かつ記録情報印字部分に下地剤を事前塗布するインクジェット方式の下地剤塗布装置を備え、下地剤塗布用の塗布記録用専用データを、印字情報記録データを基にしてソフトウエア処理により作成するようにしたインクジェット記録装置における下地剤塗布方法において、
　オリジナル画像の下にマスクを敷きオリジナル画像をマスクし、マスクのオリジナル画像がマスクされた部分以外のマスク情報からオリジナル画像に隣接するマスク情報内のエッジ情報を求め、このエッジ情報を基に、そのマスク情報のエッジ部分に対して隣り合ういくつかの画素部分まで塗布を行うのかを指定し、下地剤を印字画像のエッジ部分の外側にわたって塗布するようにした
　ことを特徴とするインクジェット記録装置における下地剤塗布方法。」
　
とあったものを、
　
（２）「記録情報を印字するライン型の印字用ヘッドを有したインクジェット記録装置で、かつ記録情報印字部分に下地剤を事前塗布する下地剤用ヘッドを有したインクジェット方式の下地剤塗布装置を備え、前記下地剤用ヘッドを塗布作動する下地剤塗布用の塗布記録用専用データを、前記印字用ヘッドを印字作動する印字情報記録データを基にしてソフトウエア処理により作成するようにしたインクジェット記録装置における下地剤塗布方法において、
　前記印字情報記録データに基づき下地剤を塗布する印字画像をオリジナル画像として決定し、そのオリジナル画像の周囲にマスクを敷くことで、オリジナル画像のエッジ画像を検出し、このエッジ画像からいくつ外側の画素部分まで下地剤を塗布するかを指定して下地剤塗布用の塗布記録用専用データとし、
　この塗布記録用専用データに基づき下地剤用ヘッドを塗布作動して下地剤をオリジナル画像のエッジ画像部及びエッジ画像部と隣り合ういくつかの画素部分にわたって塗布するようにしたことを特徴とするインクジェット記録装置における下地剤塗布方法。」
　
と補正することを含むものである。
　
２　新規事項
　本件補正Ｂは、補正前の請求項１において、「オリジナル画像の下にマスクを敷きオリジナル画像をマスクし、マスクのオリジナル画像がマスクされた部分以外のマスク情報からオリジナル画像に隣接するマスク情報内のエッジ情報を求め」とあったものを、「
オリジナル画像の周囲にマスクを敷く
　
　以下、上記補正事項が、本願の願書に最初に添付した明細書または図面（以下「本願当初明細書等」という。）に記載されていたか否か、あるいは、その記載から自明な事項といえるか否かにつき、検討する。
　
（１）本願当初明細書等の記載
　上記補正事項に関し、本願当初明細書等には以下の記載がある。
　
　ア　「【００１３】
　…本発明に係る請求項１記載のインクジェット記録装置における下地剤塗布方法において、記録情報を印字するライン型のインクジェット記録装置で、かつ記録情報印字部分に下地剤を事前塗布するインクジェット方式の下地剤塗布装置を備え、下地剤塗布用の塗布記録用専用データを、印字情報記録データを基にしてソフトウエア処理により作成するようにしたインクジェット記録装置における下地剤塗布方法において、印字画像のレイヤーの下に切り出すエッジを検出するためのマスクを敷き、ソフトウエアから切り出したマスク情報を基に下地剤を印字画像のエッジ部分の外側にわたって塗布するようにした。」
　
　イ　「【００２０】
　まず、オリジナル画像（印字）の領域の下に切り出すエッジを検出するためのマスク（特色層）を敷き、印字を各色（Ｋ，Ｃ，Ｍ，Ｙ）に分版する際にマスクから印字部分の抜き出しを行う。
　【００２１】
　このようにして得られたマスク情報を基にして、プログラムによりマスク情報のエッジ部分に対して隣り合ういくつかの画素部分まで下地剤の塗布を行うか指定することにより下地剤の塗布範囲が決定される。」
　
　ウ　「【００２５】
　本発明の実施の形態を図１に基づいて説明する。
　…
　【００２８】
　９は、上記下地剤塗布判定部８にて下地剤を塗布すると判定された印字データの入力により、この印字データにマスクを敷いてマスク画像を形成するマスク画像作成部である。」
　
　エ　「【００３１】
　図２は印字に対して下地剤を塗布する領域を決定するマスク画像を生成する工程を示す。まず、図１におけるプログラム処理部で、下地剤を塗布するオリジナル画像１３「Ｈ」を決める（図２（ａ））。ついでこのオリジナル画像１３「Ｈ」に下地剤を塗布するかしないかを下地剤判定部８にて判定し、下地剤を塗布する場合には、マスク画像作成部９にてこの「Ｈ」を印字する部分にマスクを敷く（図２（ｂ））。これにより図２（ｃ）に示すように、上記オリジナル画像のレイヤーの下で、このオリジナル画像のエッジ画像１３ａが検出される（図（ｃ））。そしてこのエッジ画像１３ａは、分版データ処理部１０における下地剤塗布部分１０ａの下地剤塗布信号出力部１１ａに入力される。
　【００３２】
　この下地剤塗布信号出力部１１ａでは、上記工程で得られた図２（ｃ）にて示すエッジ画像１３ａを処理して、このエッジ画像１３ａを含む周囲の画素部分を下地剤の塗布範囲をソフトウエア上で決定する。そしてこの下地剤塗布範囲信号は下地剤用ヘッド１に送られて、この下地剤用ヘッド１にて図３に示すように、上記エッジ画像１３ａ及びこれの周囲の下地剤領域１３ｂに下地剤が塗布され、ついでこれの上に各印字用ヘッドにて印字画像１３′が印字される。」
　
　オ　上記エに照らして図面（図２、図３）をみると、下地剤を塗布するオリジナル画像１３の「Ｈ」を印字する部分にマスクを敷き、これにより、前記オリジナル画像のレイヤーの下で、このオリジナル画像「Ｈ」と同じ「Ｈ」形状のエッジ画像１３ａが検出される、ということができる。
　
（２）補正事項について
　上記（１）によれば、本願当初明細書等には、
　ア　
印字画像のレイヤーの下に
マスクを敷き
　イ　
オリジナル画像（印字）の領域の下に切
マスク（特色層）を敷き
　ウ　オリジナル画像１３「Ｈ」に下地剤を塗布する場合、マスク画像作成部９にてこの
オリジナル画像１３の「Ｈ」を印字する部分にマスクを敷き
レイヤーの下
は記載されている。
　しかしながら、上記補正事項、すなわち、「
オリジナル画像の周囲にマスクを敷く
　また、当該補正事項が、本願当初明細書等の記載から自明な事項であるということもできない。
　
　よって、本件補正Ｂは、本願当初明細書等のすべての記載を総合することにより導かれる技術的事項との関係において新たな技術的事項を導入するものであって、願書に最初に添付した明細書又は図面に記載した事項の範囲内においてなされたものとはいえない。
　
（３）まとめ
　したがって、本件補正Ｂは、特許法第１７条の２第３項の規定に違反するので、同法第１５９条第１項において読み替えて準用する同法第５３条第１項の規定により却下すべきものである。
　
　
第３　本願について
１　本願発明
　平成２５年５月３０日付けの手続補正は上記第２のとおり却下されたので、本願の請求項に係る発明は、平成２５年２月４日付け手続補正によって補正された明細書及び図面の記載からみて、その特許請求の範囲の請求項１に記載された次の事項によって特定されるもの（上記第２の１（１）参照。）である。
　
「記録情報を印字するライン型のインクジェット記録装置で、かつ記録情報印字部分に下地剤を事前塗布するインクジェット方式の下地剤塗布装置を備え、下地剤塗布用の塗布記録用専用データを、印字情報記録データを基にしてソフトウエア処理により作成するようにしたインクジェット記録装置における下地剤塗布方法において、
　オリジナル画像の下にマスクを敷きオリジナル画像をマスクし、マスクのオリジナル画像がマスクされた部分以外のマスク情報からオリジナル画像に隣接するマスク情報内のエッジ情報を求め、このエッジ情報を基に、そのマスク情報のエッジ部分に対して隣り合ういくつかの画素部分まで塗布を行うのかを指定し、下地剤を印字画像のエッジ部分の外側にわたって塗布するようにした
　ことを特徴とするインクジェット記録装置における下地剤塗布方法。」（以下「本願発明」という。）
　
２　拒絶の理由
　当審において平成２５年３月２８日付けで通知した拒絶の理由の概要は、次のとおりである。
　
「Ａ　この出願は、発明の詳細な説明及び特許請求の範囲の記載が、下記の点で、特許法第３６条第４項第１号及び同条第６項第１号並びに第２号に規定する要件を満たしていない。
　…
　 　　　　　　　　　　　　　　　記
　
　平成２５年２月４日付け手続補正書の特許請求の範囲の請求項１には、「オリジナル画像の下にマスクを敷きオリジナル画像をマスクし、マスクのオリジナル画像がマスクされた部分以外のマスク情報からオリジナル画像に隣接するマスク情報内のエッジ情報を求め」…と記載されている。
　
１　実施可能要件 
（１）しかるところ、本願明細書の発明の詳細な説明には、請求項１の上記記載に対応する説明として、以下の記載がある。 
　…
　
（２）上記（１）によれば、本願明細書には、
　ア　オリジナル画像の下にマスクを敷きオリジナル画像をマスクし、マスクのオリジナル画像がマスクされた部分以外のマスク情報からオリジナル画像に隣接するマスク情報内のエッジ情報を求め、このエッジ情報を基に、そのマスク情報のエッジ部分に対して隣り合ういくつかの画素部分まで塗布を行うのかを指定し、下地剤を印字画像のエッジ部分の外側にわたって塗布すること、
　イ　オリジナル画像（印字）の領域の下に切り出すエッジを検出するためのマスク（特色層）を敷き、印字を各色（Ｋ，Ｃ，Ｍ，Ｙ）に分版する際にマスクから印字部分の抜き出しを行うこと、
　ウ　オリジナル画像１３「Ｈ」に下地剤を塗布するかしないかを下地剤判定部８にて判定し、下地剤を塗布する場合には、マスク画像作成部９にてこの「Ｈ」を印字する部分にマスクを敷き（図２（ｂ））、これによりに上記オリジナル画像がマスクされ（図２（ｃ））、次に残りのマスク画像部からこのオリジナル画像の外側のエッジ画像１３ｂが検出されること、
　が記載されている。 
　
（３）しかしながら、本願明細書には、「（オリジナル画像に隣接する）マスク情報内のエッジ情報」とは如何なるものであり、また、「オリジナル画像の下にマスクを敷いてオリジナル画像をマスクし、マスクのオリジナル画像がマスクされた部分以外のマスク情報から」、具体的に如何にして、「オリジナル画像に隣接するマスク情報内のエッジ情報を求め」得るのかについて、何ら説明されてはいない。
　また、本願明細書の上記記載から、上記「（オリジナル画像に隣接する）マスク情報内のエッジ情報」とは如何なるものであり、また、具体的に如何にして、該「マスク情報内のエッジ情報」を求め得るのかについて、当業者は理解することができる、ということもできない。
　よって、上記手続補正書の特許請求の範囲の請求項１に係る発明（以下「本願発明」という。）は、本願明細書等を見ても、当業者がその実施をすることができないものである。
　…
　
２　記載不明確
　請求項１の上記記載の意味するところが不明である。特に、
（１）「オリジナル画像の下にマスクを敷いてオリジナル画像をマスクし」の意味が不明である。
（２）「マスクのオリジナル画像がマスクされた部分以外のマスク情報」の意味が不明である。
　この点は、本願明細書には何ら記載されておらず、特に「マスクされた部分以外のマスク情報」が何を意味するか不明である。
（３）「オリジナル画像に隣接するマスク情報内のエッジ情報」の意味が不明である。
　本願明細書には、「エッジ」に関して、「エッジ部の滲み出し」、「エッジを検出する」、「エッジ部分の外側にわたって」、「マスク情報のエッジ部分に対して隣り合ういくつかの画素部分まで下地剤の塗布を行うか指定する」、「エッジ画像１３ａ」なる記載はあるが、「オリジナル画像に隣接するマスク情報内のエッジ情報」なる記載は認められず、特に「マスク情報内のエッジ情報」が何を意味するか不明である。
　
Ｂ　新規事項 
　平成２５年２月４日付けでした手続補正は、下記の点で願書に最初に添付した明細書又は図面に記載した事項の範囲内においてしたものでないから、特許法第１７条の２第３項に規定する要件を満たしていない。
　
１　本願の出願当初の明細書及び図面（以下「当初明細書等」という。）には「マスクのオリジナル画像がマスクされた部分以外のマスク情報」は記載されていない。
　…
　…上記「マスクのオリジナル画像がマスクされた部分以外のマスク情報」は、当初明細書等に記載されたものではなく、上記手続補正は、その記載事項の範囲内においてしたものではない。
　
２　当初明細書等には「オリジナル画像に隣接するマスク情報内のエッジ情報」は記載されていない。
　…
　よって、上記「オリジナル画像に隣接するマスク情報内のエッジ情報」は、当初明細書等に記載されたものではなく、上記手続補正は、その記載事項の範囲内においてしたものではない。
　…」
　
３　当審の判断
（１）本願明細書の記載事項
　平成２５年２月４日付け手続補正書（以下、単に「手続補正書」という。）の特許請求の範囲の請求項１には、「オリジナル画像の下にマスクを敷きオリジナル画像をマスクし、マスクのオリジナル画像がマスクされた部分以外のマスク情報からオリジナル画像に隣接するマスク情報内のエッジ情報を求め」と記載されている。
　
　そして、請求項１の上記記載に対応する説明として、本願明細書の発明の詳細な説明には、以下の記載がある。
　
　ア　「【００１３】
　…本発明に係る請求項１記載のインクジェット記録装置における下地剤塗布方法において、記録情報を印字するライン型のインクジェット記録装置で、かつ記録情報印字部分に下地剤を事前塗布するインクジェット方式の下地剤塗布装置を備え、下地剤塗布用の塗布記録用専用データを、印字情報記録データを基にしてソフトウエア処理により作成するようにしたインクジェット記録装置における下地剤塗布方法において、
　オリジナル画像の下にマスクを敷きオリジナル画像をマスクし、マスクのオリジナル画像がマスクされた部分以外のマスク情報からオリジナル画像に隣接するマスク情報内のエッジ情報を求め、このエッジ情報を基に、そのマスク情報のエッジ部分に対して隣り合ういくつかの画素部分まで塗布を行うのかを指定し、下地剤を印字画像のエッジ部分の外側にわたって塗布するようにした。」 
　イ　「【００１９】
　本発明におけるデータ入力から印字までの流れは（１）下地剤を適応するオリジナル画像を選択する。（２）下地剤を適応する範囲を決定する、（３）印字ファイルを生成する際に、下地用マスク部を抽出する。（４）各色用と下地剤用の各データを該当装置側へ転送して所定範囲内への下地剤とオリジナル画像の各印字を行う。…
　プログラム上での具体的処理内容としては、以下に記載するような内容にて下地剤のための記録データを作成する。
　【００２０】
　まず、オリジナル画像（印字）の領域の下に切り出すエッジを検出するためのマスク（特色層）を敷き、印字を各色（Ｋ，Ｃ，Ｍ，Ｙ）に分版する際にマスクから印字部分の抜き出しを行う。
　【００２１】
　このようにして得られたマスク情報を基にして、プログラムによりマスク情報のエッジ部分に対して隣り合ういくつかの画素部分まで下地剤の塗布を行うか指定することにより下地剤の塗布範囲が決定される。」 
　ウ　「【００３１】
　図２は印字に対して下地剤を塗布する領域を決定するマスク画像を生成する工程を示す。まず、図１におけるプログラム処理部で、下地剤を塗布するオリジナル画像１３「Ｈ」を決める（図２（ａ））。ついでこのオリジナル画像１３「Ｈ」に下地剤を塗布するかしないかを下地剤判定部８にて判定し、下地剤を塗布する場合には、マスク画像作成部９にてこの「Ｈ」を印字する部分にマスクを敷く（図２（ｂ））。これにより図２（ｃ）に示すように、上記オリジナル画像がマスクされる。そして次に残りのマスク画像部からこのオリジナル画像の外側のエッジ画像１３ｂが検出される（図３）。そしてこのエッジ画像１３ｂは、分版データ処理部１０における下地剤塗布部分１０ａの下地剤塗布信号出力部１１ａに入力される。
　【００３２】
　この下地剤塗布信号出力部１１ａでは、上記工程で得られた図３にて示すエッジ画像１３ｂを処理して、このエッジ画像１３ｂを含む周囲の画素部分を下地剤の塗布範囲をソフトウエア上で決定する。そしてこの下地剤塗布範囲信号は下地剤用ヘッド１に送られて、この下地剤用ヘッド１にて図３に示すように、上記エッジ画像１３ｂ及びこれの周囲の下地剤領域に下地剤が塗布され、ついでこれの上に各印字用ヘッドにて印字画像１３′が印字される。
　【００３３】
　このときにおいて、上記下地剤塗布信号出力部１１ａからの信号は、下地剤領域決定部１２にてソフトウエアにて決定し、印字に対する下地剤領域の大きさが塗布対象となる被記録媒体の性質などに応じて変えられる。具体的には、プログラムによりマスク情報のエッジ部分に対して隣り合ういくつかの画素部分まで塗布を行うのかを指定することで、下地剤の塗布範囲を被記録媒体の性質などに応じて決定する。」 
　
　上記ア〜ウによれば、本願明細書には、 
　（ｉ）オリジナル画像の下にマスクを敷きオリジナル画像をマスクし、マスクのオリジナル画像がマスクされた部分以外のマスク情報からオリジナル画像に隣接するマスク情報内のエッジ情報を求め、このエッジ情報を基に、そのマスク情報のエッジ部分に対して隣り合ういくつかの画素部分まで塗布を行うのかを指定し、下地剤を印字画像のエッジ部分の外側にわたって塗布すること、
　（ｉｉ）オリジナル画像（印字）の領域の下に切り出すエッジを検出するためのマスク（特色層）を敷き、印字を各色（Ｋ，Ｃ，Ｍ，Ｙ）に分版する際にマスクから印字部分の抜き出しを行うこと、 
　（ｉｉｉ）オリジナル画像１３「Ｈ」に下地剤を塗布する場合には、マスク画像作成部９にてこの「Ｈ」を印字する部分にマスクを敷き、これによりに上記オリジナル画像がマスクされ、次に残りのマスク画像部からこのオリジナル画像の外側のエッジ画像１３ｂが検出されること、
が記載されている。 
　
（２）請求項１の記載の明確性について
　しかるところ、上記（１）（ｉ）〜（ｉｉｉ）に照らしても、上記手続補正書の請求項１の上記の記載における、
　ア　「オリジナル画像の下にマスクを敷いてオリジナル画像をマスクし」の具体的意味が不明であり、また、
　イ　「マスクのオリジナル画像がマスクされた部分以外のマスク情報」が具体的に何を意味するのか不明であり、さらに、
　ウ　「マスク情報内のエッジ情報」が具体的に何を意味し、また、「オリジナル画像に隣接するマスク情報内のエッジ情報」が具体的に何を意味するのか不明であるから、
結局のところ、請求項１の上記の記載は、その意味するところが不明であるといわざるを得ない。
　したがって、上記手続補正書の請求項１に係る発明（本願発明）は明確でなく、本願は、特許請求の範囲の記載が特許法第３６条第６項第２号に規定する要件を満たしていない。
　
（３）実施可能要件について
　ア　上記手続補正書の請求項１の上記の記載に関し、本願明細書には、具体的にどのようにすれば、「オリジナル画像の下にマスクを敷いてオリジナル画像をマスクし、マスクのオリジナル画像がマスクされた部分以外のマスク情報からオリジナル画像に隣接するマスク情報内のエッジ情報を求め」得るのかについて、何らの説明もなされていない。したがって、当業者は、本願明細書を見ても、前記「マスク情報内のエッジ情報」を具体的に如何にして求め得るのかにつき、理解することができない。
　よって、上記手続補正書の請求項１に係る発明（本願発明）は、本願明細書等を見ても、当業者がその実施をすることができないものである。
　イ　平成２５年３月１１日付けファクシミリについて
　上記の点に関し、請求人は、平成２５年３月１１日付けファクシミリにおいて、資料４を添付し、「…添付資料４の左側に示される図に対して、図全体をカバーする印字情報を全体に持ったマスクをかぶせたとします。その時印字情報がなかったバッテン印の部分に印字情報が生じる一方、印字情報のあった丸印の点は印字情報がダブりますが、これを仮に印字情報なしと判断するようにしておくと、結局このようなマスク処理でもとのＨ字の外側にのみ印字情報（丸印）をもった元の印字情報のネガ（逆転）のような印字情報が得られ、即ち、マスク操作によってただちに元の印字情報の一段外側の本願発明において目的とする下塗りの印字情報（添付資料４の右側参照）が求まることになります。」（同ファクシミリ４頁１〜７行）と主張する。 
　しかしながら、本願明細書あるいは図面には、そのようなマスク処理を行うことにより、ただちに元の印字情報の一段外側の下塗りの印字情報を求め得ることについて、具体的な説明は何らなされていないことは上述したとおりであるから、ファクシミリに基づく請求人の上記主張を採用することはできない。
　ウ　以上のとおり、本願明細書の発明の詳細な説明は、当業者が本願発明の実施をすることができる程度に明確かつ十分に記載されたものであるとはいえないから、特許法第３６条第４項に規定する要件を満たしていないものである。
　
（４）新規事項について
　ア　平成２５年２月４日付けでした手続補正（以下「本件補正Ａ」という。）は、補正前（平成２４年２月９日付けのもの）の特許請求の範囲の請求項１として、
　
「記録情報を印字するライン型のインクジェット記録装置で、かつ記録情報印字部分に下地剤を事前塗布するインクジェット方式の下地剤塗布装置を備え、下地剤塗布用の塗布記録用専用データを、印字情報記録データを基にしてソフトウエア処理により作成するようにしたインクジェット記録装置における下地剤塗布方法において、
　印字画像のレイヤーの下に切り出すエッジを検出するためのマスクを敷き、ソフトウエアから切り出したマスク情報を基に、そのマスク情報のエッジ部分に対して隣り合ういくつかの画素部分まで塗布を行うのかを指定し、下地剤を印字画像のエッジ部分の外側にわたって塗布するようにした
　ことを特徴とするインクジェット記録装置における下地剤塗布方法。」
　
とあったものを、上記１のように補正して補正後の請求項１とする内容を含むものである。
　
　そして、本件補正Ａにより、本願の請求項１に係る発明は、以下の事項を含むものとなった。
　
　（ア）「マスクのオリジナル画像がマスクされた部分以外のマスク情報」（以下「本件補正事項１」という。）
　（イ）「オリジナル画像に隣接するマスク情報内のエッジ情報」（以下「本件補正事項２」という。）
　
　イ　本願当初明細書等の記載事項
　上記本件補正事項１、２に関し、本願当初明細書等には、上記第２の２（１）の記載があり、それによれば、上記第２の２（２）ア〜ウの技術的事項を把握することができる。
　
　ウ　判断
　（ア）本件補正事項１について
　しかるところ、本願当初明細書等には、本件補正事項１（マスクのオリジナル画像がマスクされた部分以外のマスク情報）の記載は見当たらない。また、上記本件補正事項１が、本願当初明細書等の記載から自明な事項であるともいうこともできない。
　したがって、上記本件補正事項１は、本願当初明細書等に記載されたものではなく、本件補正Ａは、その記載事項の範囲内においてしたものとはいえない。 
　
（イ）本件補正事項２について
　また、本願当初明細書等には、本件補正事項２（オリジナル画像に隣接するマスク情報内のエッジ情報）の記載は見当たらない。また、上記本件補正事項２が、本願当初明細書等の記載から自明な事項であるともいうこともできない。
　したがって、上記本件補正事項２は、本願当初明細書等に記載されたものではなく、本件補正Ａは、その記載事項の範囲内においてしたものとはいえない。　
　
　エ　まとめ
　よって、本件補正事項１、２を含む本件補正Ａは、本願当初明細書等のすべての記載を総合することにより導かれる技術的事項との関係において、新たな技術的事項を導入しないものということはできず、本願当初明細書等に記載した事項の範囲内においてしたものということはできないから、特許法第１７条の２第３項に規定する要件を満たしていない。
　
　
第４　むすび
　以上のとおりであるから、本願は、特許請求の範囲の記載が特許法第３６条第６項第２号に規定する要件を満たしておらず、また、本願明細書の発明の詳細な説明が、同法第３６条第４項に規定する要件を満たしていないものであり、さらに、平成２５年２月４日付けでした手続補正が、同法第１７条の２第３項に規定する要件を満たしていないものである。
　
　よって、結論のとおり審決する。